(57)【要約】【課題】寺院に収蔵されている故人の遺骨を容易に改葬可能とする。【解決手段】提携寺院ごとに設置される複数の寺院サーバ２ａ，２ｂと、寺院サーバ２ａ，２ｂによって接続される管理サーバ１とから構成され、寺院サーバ２ａ，２ｂは、各寺院に収蔵される遺骨情報を記憶し、管理する遺骨ＤＢ２０ａ，２０ｂと、利用者の使用するコンピュータ端末３ａ〜３ｃに対して遺骨情報を提供する遺骨情報提供手段２２ａ，２２ｂと、利用者の使用するコンピュータ端末３ａ〜３ｃからの遺骨情報の登録および更新を可能にする登録更新手段２３ａ，２３ｂと、改葬する遺骨情報を改葬先の寺院に関する情報とともに管理サーバ１へ送信する改葬処理手段２４ａ，２４ｂとを有し、管理サーバ１は、改葬元の寺院サーバ２ａから受信した遺骨情報を改葬先の寺院に関する情報に基づいて改葬先の寺院サーバ２ｂへ転送する改葬手続手段１１を有する。【選択図】図２
2008198004.tif 000002
【特許請求の範囲】
【請求項１】
寺院ごとに設置される複数の寺院サーバと、
前記複数の寺院サーバによって接続される管理サーバとから構成され、
前記寺院サーバは、各寺院に収蔵される遺骨に関する情報を記憶し、管理する手段と、利用者の使用するコンピュータ端末に対して前記遺骨に関する情報を提供する手段と、利用者の使用するコンピュータ端末からの前記遺骨に関する情報の登録および更新を可能にする手段と、改葬する遺骨に関する情報を改葬先の寺院に関する情報とともに前記管理サーバへ送信する手段とを有し、
前記管理サーバは、前記改葬元の寺院サーバから受信した前記改葬する遺骨に関する情報を前記改葬先の寺院に関する情報に基づいて改葬先の寺院サーバへ転送する手段を有する
遺骨管理システム。
【請求項２】
前記寺院サーバまたは管理サーバは、さらに、改葬先の寺院を指定させて改葬を受け付ける手段を有するものである請求項１記載の遺骨管理システム。
【請求項３】
寺院ごとに設置される複数の寺院サーバと、
前記複数の寺院サーバによって接続される管理サーバとによる遺骨管理方法であって、
前記寺院サーバが、記憶、管理する各寺院に収蔵される遺骨に関する情報を、利用者の使用するコンピュータ端末に対して提供するステップと、
前記寺院サーバが、利用者の使用するコンピュータ端末からの前記遺骨に関する情報の登録および更新を可能にするステップと、
前記寺院サーバが、改葬する遺骨に関する情報を改葬先の寺院に関する情報とともに前記管理サーバへ送信するステップと、
前記管理サーバが、前記改葬元の寺院サーバから受信した前記改葬する遺骨に関する情報を前記改葬先の寺院に関する情報に基づいて改葬先の寺院サーバへ転送するステップと
を含む遺骨管理方法。
【請求項４】
前記寺院サーバまたは管理サーバが、改葬先の寺院を指定させて改葬を受け付けるステップ
を含む請求項３記載の遺骨管理方法。
【発明の詳細な説明】
【技術分野】
【０００１】
本発明は、寺院に収蔵されている故人の遺骨を管理するための遺骨管理システムおよび遺骨管理方法に関する。
【背景技術】
【０００２】
通常、我が国では人が死亡すると荼毘に付され、遺骨は墓地や納骨堂などへ納骨される。しかしながら、都市部では分譲墓地も少なく、高額であるため、遺族の経済的負担や、墓地または納骨堂の管理負担等が問題となっており、墓地等の造成が困難となってきている。一方、過疎地では、墓地や納骨堂を取得しても、子孫が都市部へ転出してしまい、墓地や納骨堂のある地域で生活することが少なくなってきているため、墓地等を子孫が受け継ぐことも困難となっている。
【０００３】
また、近年は人口移動社会と言われており、就職、転職や転勤等により転居する機会も多いが、従来の墓地や納骨堂は改葬（移転）するということを想定しておらず、改葬する場合には新規に墓地等を取得する費用以上の出費となることも少なくない。例えば、墓地を改葬するためには、新しい墓地を事前に確保し、移転先の寺院が発行した受け入れ証明書を届け出る必要がある。したがって、改葬のためには、新規に墓地を購入することになる。
【０００４】
従来、遺族による墓地等の管理負担を減らすものとしては、例えば、特許文献１，２に記載の遺骨管理装置がある。これらの遺骨管理装置は、納骨堂の立体倉庫から利用者の指示に応じて該当する遺骨を搬出し、参拝者の前まで搬送するものである。また、特許文献３には、遺骨の保管期間をデータベースに登録しておき、保管期間満了時点において処分の可否を通知したり、希望に応じて遠隔地の指定場所まで配送したりすることが記載されている。
【０００５】
さらに、特許文献４には、納骨堂に格納されている故人の遺影、位牌、遺骨等に故人固有の遺骨管理番号を付与し、この遺骨管理番号に基づいて故人のデータを納骨堂のデータベースに登録するとともに、この遺骨管理番号を管理データベースに登録しておき、参拝者が最寄りの納骨堂に赴いて遺骨管理番号により納骨堂のデータベースを検索し、このデータベース内に該当する故人のデータがない場合には、管理データベースからこの遺骨管理番号に該当する故人のデータが格納されている納骨堂を特定し、その納骨堂のデータベースから最寄りの納骨堂や利用者自身が所有する祭壇にある装置に故人のデータを転送することにより、転居等の理由により故人の遺骨や位牌が格納されている納骨堂から離れてしまったような場合であっても、参拝者は故人のデータを最寄りの装置上で閲覧して参拝を行うことが可能となるデータ管理システムが記載されている。
【０００６】
【特許文献１】特許第３０８２１２８号公報
【特許文献２】特開平１０−１１５１２５号公報
【特許文献３】特開２００３−３４４１０号公報
【特許文献４】特開２００３−１１４９４０号公報
【発明の開示】
【発明が解決しようとする課題】
【０００７】
特許文献１，２は、少ない土地を有効活用するために、立体倉庫により効率良く納骨堂内に遺骨を管理するだけのものである。また、特許文献３，４は、遺骨が遠方に格納されていても、遺骨を配送したり、故人のデータを転送したりすることにより、遠方でも参拝を可能にしたものである。すなわち、上記特許文献１〜４は、いずれも改葬を想定していない。また、特許文献３，４に記載の技術では、遠方で参拝はできるものの、遺骨が遠方に収容されていることに変わりなく、実際の遺骨を目の前にして参拝することができない。
【０００８】
そこで、本発明においては、寺院に収蔵されている故人の遺骨を容易に改葬可能とした遺骨管理システムおよび遺骨管理方法を提供することを目的とする。
【課題を解決するための手段】
【０００９】
本発明の遺骨管理システムは、寺院ごとに設置される複数の寺院サーバと、複数の寺院サーバによって接続される管理サーバとから構成され、寺院サーバは、各寺院に収蔵されている遺骨に関する情報を記憶し、管理する手段と、利用者の使用するコンピュータ端末に対して遺骨に関する情報を提供する手段と、利用者の使用するコンピュータ端末からの遺骨に関する情報の登録および更新を可能にする手段と、改葬する遺骨に関する情報を改葬先の寺院に関する情報とともに管理サーバへ送信する手段とを有し、管理サーバは、改葬元の寺院サーバから受信した改葬する遺骨に関する情報を改葬先の寺院に関する情報に基づいて改葬先の寺院サーバへ転送する手段を有するものである。
【００１０】
本発明の遺骨管理システムでは、各寺院に収蔵されている遺骨に関する情報は、その遺骨が収蔵されている寺院の寺院サーバにおいて、遺骨とともに管理されている。したがって、利用者は、遺骨が収蔵されている寺院サーバに対してコンピュータ端末により接続することで、閲覧、登録および更新することが可能である。ここで、利用者の使用するコンピュータ端末は、電気通信回線を介して寺院サーバに接続できれば良いので、各寺院の祭壇部の他、利用者の自宅、勤務先や公共施設等のいずれの場所に設置されても良い。コンピュータ端末が各寺院の祭壇部に設置されている場合、遺族や参拝者等（利用者）は、各寺院の祭壇部へ赴けば、このコンピュータ端末により遺骨に関する情報を閲覧しながら、参拝することができる。
【００１１】
また、寺院に遺骨が収蔵されている故人の遺族等（利用者）が転居等の理由により他の寺院への改葬が必要となった場合、改葬先の寺院に関する情報とともに改葬する遺骨に関する情報を、その遺骨を収蔵している寺院の寺院サーバから管理サーバへ送信し、管理サーバが、この改葬元の寺院サーバから受信した改葬する遺骨に関する情報を改葬先の寺院に関する情報に基づいて改葬先の寺院サーバへ転送する。なお、遺骨そのものは、別途改葬元の寺院から改葬先の寺院へと送付する。これにより、遺族等は、転居等により改葬が必要となった場合に、転居先の最寄りの寺院等への改葬の手続を容易に行うことができる。また、改葬後はその改葬先の寺院に赴けば、コンピュータ端末により遺骨に関する情報を閲覧しながら、故人の遺骨を目の前にして参拝することができる。
【００１２】
ここで、寺院サーバまたは管理サーバは、さらに、改葬先の寺院を指定させて改葬を受け付ける手段を有するものであることが望ましい。これにより、遺族等が、改葬先の寺院を指定することで、寺院サーバまたは管理サーバは、この遺族等により指定された改葬先の寺院に対して前述の改葬処理を行うことができる。
【００１３】
本発明の遺骨管理方法は、寺院ごとに設置される複数の寺院サーバと、複数の寺院サーバによって接続される管理サーバとによる遺骨管理方法であって、寺院サーバが、記憶、管理する各寺院に収蔵される遺骨に関する情報を、利用者の使用するコンピュータ端末に対して提供するステップと、寺院サーバが、利用者の使用するコンピュータ端末からの遺骨に関する情報の登録および更新を可能にするステップと、寺院サーバが、改葬する遺骨に関する情報を改葬先の寺院に関する情報とともに管理サーバへ送信するステップと、管理サーバが、改葬元の寺院サーバから受信した改葬する遺骨に関する情報を改葬先の寺院に関する情報に基づいて改葬先の寺院サーバへ転送するステップとを含むことを特徴とする。
【００１４】
本発明の遺骨管理方法によれば、寺院に遺骨が収蔵されている故人の遺族等（利用者）が転居等の理由により他の寺院への改葬が必要となった場合、改葬先の寺院に関する情報とともに改葬する遺骨に関する情報が、その遺骨を収蔵している寺院の寺院サーバから管理サーバへ送信され、管理サーバにより、この改葬元の寺院サーバから受信した改葬する遺骨に関する情報が改葬先の寺院に関する情報に基づいて改葬先の寺院サーバへ転送され、前述と同様に、改葬の手続を容易に行うことができる。
【発明の効果】
【００１５】
本発明によれば、他の寺院への改葬が必要となった場合、寺院に収蔵される故人の遺骨を最寄りの寺院等へ容易に改葬することができるので、遺族等は、就職、転職や転勤等により頻繁に転居するような場合であっても簡単に最寄りの寺院等へ改葬して、この遺骨が収蔵されている寺院へいつでも参拝することが可能となる。
【発明を実施するための最良の形態】
【００１６】
図１は本発明の実施の形態における遺骨管理システムの全体構成図、図２は図１の遺骨管理システムの要部を示すブロック図である。
【００１７】
図１において、本発明の実施の形態における遺骨管理システムは、全体を管理する管理会社の管理サーバ１と、納骨堂を有する提携寺院ごとに設置される寺院サーバ２ａ，２ｂ，２ｃ等とから構成される。なお、図１に示すコンピュータ端末３ａ，３ｂ，３ｃ等は、各提携寺院の納骨堂を利用する利用者が使用するパーソナルコンピュータ、携帯型情報端末や携帯電話機等の端末である。管理サーバ１、寺院サーバ２ａ〜２ｃ等およびコンピュータ端末３ａ〜３ｃ等は、互いにコンピュータ通信ネットワークとしてのインターネット４により接続される。
【００１８】
なお、管理サーバ１と寺院サーバ２ａ〜２ｃ等の間は、専用通信回線やその他の通信回線により接続する構成とすることも可能である。また、利用者が使用するコンピュータ端末３ａ〜３ｃ等については、設置場所は利用者の自宅、勤務先や公共施設等、あるいは各提携寺院Ａ〜Ｃ等の納骨堂祭壇部等のいずれでも良い。要するに、利用者が使用して管理サーバ１および寺院サーバ２ａ〜２ｃ等に接続できる環境のものであれば良い。したがって、コンピュータ端末３ａ〜３ｃ等と管理サーバ１および寺院サーバ２ａ〜２ｃ等との接続についても、専用通信回線やその他の通信回線を用いても良い。
【００１９】
本発明の実施の形態における遺骨管理システムは、納骨堂を有する提携寺院間で利用者が遺骨を容易に改葬可能とするためのものである。提携寺院の納骨堂に収蔵される遺骨は、将来の改葬を想定した移設可能な容器（例えば、骨壺自体や、骨壺を収納可能な意匠登録第１２８０１６７号公報に記載のような本尊付きケース等）に納骨されているものとする。図２に示すように管理サーバ１は、この各提携寺院に関する情報（以下、「寺院情報」と称す。）を記憶し、管理する提携寺院データベース（ＤＢ）１０と、改葬手続を行う改葬手続手段１１とを有する。
【００２０】
提携寺院ＤＢ１０に記憶される寺院情報は、各提携寺院のＩＤ（寺院コード）、名称、所在地、電話番号、地図画像、内外の様子を示す画像や説明文等の情報である。改葬手続手段１１は、改葬元の寺院サーバ（例えば、改葬元が提携寺院Ａである場合には寺院サーバ２ａ）から受信した改葬する遺骨に関する情報（後述する。）を改葬先の提携寺院に関する情報に基づいて改葬先の寺院サーバ（例えば、改葬先が提携寺院Ｂである場合には寺院サーバ２ｂ）へ転送するものである。
【００２１】
寺院サーバ２ａは、提携寺院Ａに収蔵されている遺骨に関する情報（以下、「遺骨情報」と称す。）を記憶し、管理する遺骨データベース（ＤＢ）２０ａと、コンピュータ端末３ａ〜３ｃ等からの要求に応じて遺骨ＤＢ２０ａに記憶されている遺骨情報を提供する遺骨情報提供手段２１ａと、コンピュータ端末３ａ〜３ｃ等からの要求に応じて遺骨ＤＢ２０ａに管理する情報の登録および更新を行う登録更新手段２２ａと、遺骨の改葬を受け付ける改葬受付手段２３ａと、改葬の処理を行う改葬処理手段２４ａとを有する。
【００２２】
以下、この寺院サーバ２ａを例にとって遺骨ＤＢ２０ａ、遺骨情報提供装置２１ａ、登録更新手段２２ａ、改葬受付手段２３ａおよび改葬処理手段２４ａについて詳細に説明するが、寺院サーバ２ｂについても提携寺院Ｂに関して同様の遺骨ＤＢ２０ｂと、遺骨情報提供手段２１ｂと、登録更新手段２２ｂと、改葬受付手段２３ｂと、改葬処理手段２４ｂとを有するものとする。また、寺院サーバ２ｃについても、寺院サーバ２ａ，２ｂと同様の構成である。
【００２３】
寺院サーバ２ａの遺骨ＤＢ２０ａには、提携寺院Ａの納骨堂を利用する利用者のＩＤ（利用者コード）、新規加入寺院名、氏名、住所、電話番号や電子メールアドレス等の利用者データ、故人の家族の氏名、続柄、連絡先や親族代表者等の家族データ、一般管理加入や永代供養加入等の加入種別を表す加入内容データ、個人名、性別、命日、享年や戒名（法名）等の故人データや、故人の写真画像、動画像、音声や、偲ぶ者その他の写真画像等の故人を偲ぶデータ等が遺骨情報として記憶される。
【００２４】
遺骨情報提供手段２１ａは、コンピュータ端末３ａ〜３ｃ等からの要求に基づいて遺骨ＤＢ２０ａを検索し、該当する遺骨情報を要求元のコンピュータ端末３ａ〜３ｃ等へ提供するものである。登録更新手段２２ａは、遺骨情報提供手段２１ａによりコンピュータ端末３ａ〜３ｃ等へ提供する遺骨情報について、コンピュータ端末３ａ〜３ｃ等からの要求に基づき、該当する遺骨ＤＢ２０ａの遺骨情報の登録および更新を行うものである。
【００２５】
改葬受付手段２３ａは、提携寺院Ａが遺骨の改葬先となる場合には、遺骨の改葬（受け入れ）を受け付けるものであり、遺骨の改葬元となる場合には、改葬先の提携寺院を指定させて改葬を受け付けるものである。なお、改葬受付手段２３ａは、コンピュータ端末３ａ〜３ｃ等に対して遺骨の改葬先として選択可能な提携寺院に関する情報（寺院情報）を提供して、この中から改葬先を選択させる構成とすることも可能である。この場合、寺院情報は、その都度、インターネット４を通じて管理サーバ１の提携寺院ＤＢ１０から最新の情報を取得してコンピュータ端末３ａ〜３ｃ等へ提供するか、あるいは事前に取得して寺院サーバ２ａ内に蓄積しておいたものを提供する。そして、改葬受付手段２３ａは、寺院情報をコンピュータ端末３ａ〜３ｃ等に対して例えば各提携寺院を選択可能なメニューを提供し、このメニューの中から指定された提携寺院を改葬先の提携寺院として受け付ける。
【００２６】
改葬処理手段２４ａは、改葬受付手段２３ａにより受け付けた改葬について、改葬する遺骨の遺骨情報を遺骨ＤＢ２０ａから取得し、改葬受付手段２３ａにより取得した改葬先の提携寺院に関する情報、すなわち改葬先の提携寺院がいずれの提携寺院であるかを示す情報とともに管理サーバ１へ送信するものである。ここで、改葬先が例えば提携寺院Ｂの場合、寺院サーバ２ｂの改葬処理手段２４ｂは、管理サーバ１から転送された遺骨情報を遺骨ＤＢ２０ｂへ登録し、改葬元の改葬処理手段２４ａは、遺骨ＤＢ２０ｂへ正常に登録が行われた場合には、遺骨ＤＢ２０ａから改葬された遺骨の遺骨情報を消去する。
【００２７】
上記構成の遺骨管理システムを利用した遺骨管理について、図３から図５のフロー図にしたがって説明する。図３は新規納骨時の処理を示すフロー図、図４は改葬申し込み時の処理を示すフロー図、図５は改葬時の処理を示すフロー図である。なお、以下では、利用者はコンピュータ端末３ａを使用するものとし、提携寺院Ａの納骨堂祭壇にはコンピュータ端末３ｂが配置されているものとする。また、利用者は寺院サーバ２ａが配置された提携寺院Ａへ新規に納骨し、この提携寺院Ａから寺院サーバ２ｂが配置された提携寺院Ｂへ遺骨を改葬するものとして説明する。
【００２８】
図３に示すように、まず、利用者が、提携寺院Ａに納骨を申し込むと（ステップＳ１００）、提携寺院Ａから受入許可証が発行される（ステップＳ１０１）。利用者は、この受入許可証を添えて市町村役場で提携寺院Ａの納骨堂への収蔵（埋葬）の手続をする（ステップＳ１０２）。提携寺院Ａは、遺骨情報を遺骨ＤＢ２０ａに登録する（ステップＳ１０３）。なお、遺骨情報の登録は、利用者自身がコンピュータ端末３ａにより登録することも可能である。
【００２９】
これにより、利用者あるいは遺族や故人に縁のある者等は、提携寺院Ａに行き、納骨堂祭壇に設置されているコンピュータ端末３ｂを操作して寺院サーバ２ａに接続することにより、前述のように故人の遺骨情報を遺骨ＤＢ２０ａから呼び出し、画面上で確認することが可能である。これにより、故人の情報をコンピュータ端末３ｂで閲覧しながら、故人の遺骨を目の前にして参拝することが可能である。
【００３０】
そして、遺族等の転居等により改葬が必要となった場合、図４に示すように、利用者は、コンピュータ端末３ａにより改葬先の提携寺院Ｂの寺院サーバ２ｂに接続し、提携寺院Ｂへの遺骨の改葬（受け入れ）を申し込む（ステップＳ１５０）。提携寺院Ｂの寺院サーバ２ｂは改葬受付手段２３ｂにより改葬を受け付け、受入許可証を発行する（ステップＳ１５１）。
【００３１】
次に、利用者は、コンピュータ端末３ａにより改葬元の提携寺院Ａの寺院サーバ２ａに接続し、前述のように寺院サーバ２ａの遺骨情報提供装置２１ａにより提供される遺骨情報を確認する（ステップＳ２００）。ここで、利用者は、コンピュータ端末３ａにより遺骨情報の更新を行うことも可能である（ステップＳ２０１）。
【００３２】
また、利用者は、遺骨の改葬先として所望の提携寺院Ｂを指定すると（ステップＳ２０２）、寺院サーバ２ａの改葬受付手段２３ａにより改葬が受け付けられる（ステップＳ２０３）。寺院サーバ２ａの改葬処理手段２４ａは、改葬受付手段２３ａによる改葬受け付けに基づき、改葬する遺骨に関する遺骨情報を改葬先の寺院に関する情報、すなわち改葬先が提携寺院Ｂであることを示す情報とともに管理サーバ１へ送信する（ステップＳ２０４）。
【００３３】
そして、管理サーバ１は、改葬手続手段１１により、改葬元の寺院サーバ２ａから受信した遺骨情報を改葬先の寺院に関する情報に基づいて改葬先の提携寺院Ｂの寺院サーバ２ｂへ転送する（ステップＳ２０５）。改葬先の提携寺院Ｂでは、この転送された遺骨情報を遺骨ＤＢ２０ｂへ登録する（ステップＳ２０６）。また、遺骨自体は、別途提携寺院Ａから提携寺院Ｂへ物理的に移転する（ステップＳ２０７）。なお、遺骨自体の移転は遺骨情報の改葬処理と前後しても良い。
【００３４】
以上のように、本実施形態における遺骨管理システムでは、各寺院に収蔵されている遺骨に関する遺骨情報は、その遺骨が収蔵されている提携寺院Ａ〜Ｃ等の寺院サーバ２ａ〜２ｃ等において、遺骨とともに管理されている。したがって、利用者は、遺骨が収蔵されている寺院サーバ２ａ〜２ｃ等に対してコンピュータ端末３ａ〜３ｃにより接続することで、閲覧、登録および更新することが可能である。
【００３５】
そして、遺族等の利用者が転居等の理由により他の提携寺院への改葬が必要となった場合には、遺骨情報が管理サーバ１を介して改葬先へ転送されるので、遺骨そのものを別途改葬元の提携寺院から改葬先の提携寺院へと送付することで、最寄りの提携寺院等へ容易に改葬することができる。したがって、遺族等は、就職、転職や転勤等により頻繁に転居するような場合であっても簡単に最寄りの提携寺院等へ改葬して、この遺骨が収蔵されている提携寺院へいつでも参拝することが可能となる。
【００３６】
なお、本実施形態における遺骨管理システムは、改葬受付手段２３ａを寺院サーバ２ａに設けた構成であるが、この改葬受付手段を管理サーバ１に設けた構成とすることも可能である。この場合、利用者は、管理サーバ１に接続してこの改葬の申請を行うことで、上述と同様に遺骨情報を改葬先の提携寺院Ｂへ容易に改葬することが可能となる。また、管理サーバ１は、寺院サーバ２ａ等に代わって各寺院サーバ２ａ等の遺骨ＤＢ２０ａ等への情報の入力および更新を行う構成とすることも可能である。
【産業上の利用可能性】
【００３７】
本発明の遺骨管理システムおよび遺骨管理方法は、寺院に収蔵されている故人の遺骨を管理するためのものとして有用である。特に、本発明は、寺院に収蔵されている故人の遺骨を容易に改葬可能とする遺骨管理システムおよび遺骨管理方法として好適である。
【図面の簡単な説明】
【００３８】
【図１】本発明の実施の形態における遺骨管理システムの全体構成図である。
【図２】図１の遺骨管理システムの要部を示すブロック図である。
【図３】新規納骨時の処理を示すフロー図である。
【図４】改葬申し込み時の処理を示すフロー図である。
【図５】改葬時の処理を示すフロー図である。
【符号の説明】
【００３９】
１  管理サーバ
２ａ，２ｂ，２ｃ  寺院サーバ
３ａ，３ｂ，３ｃ  コンピュータ端末
１０  提携寺院ＤＢ
１１  改葬手続手段
２０ａ，２０ｂ  遺骨ＤＢ
２１ａ，２１ｂ  遺骨情報提供手段
２２ａ，２２ｂ  登録更新手段
２３ａ，２３ｂ  改葬受付手段
２４ａ，２４ｂ  改葬処理手段
【図１】
2008198004.tif 000003
【図２】
2008198004.tif 000004
【図３】
2008198004.tif 000005
【図４】
2008198004.tif 000006
【図５】
2008198004.tif 000007